(57)【要約】【課題】  携帯式電子装置に応用される循環再生の方法の提供。【解決手段】  本発明の循環再生の方法は以下のステップを具えている。（Ａ）循環再生の開始時間を入力するステップ、（Ｂ）循環再生の終了時間を入力するステップ、（Ｃ）入力した開始時間を起点として電子ファイルを再生し並びに入力した終了時間を終点としてこの電子ファイルの再生を停止する。これにより、正確な入力循環再生の時間点を達成できる。【選択図】        図１
2006190429.tif 000002
【特許請求の範囲】
【請求項１】
携帯式電子装置に応用される循環再生の方法であり、
（Ａ）循環再生の開始時間を入力するステップ、
（Ｂ）循環再生の終了時間を入力するステップ、
（Ｃ）該開始時間を起点として電子ファイルを再生し並びに該終了時間を終点としてこの電子ファイルの再生を停止するステップ、
を具えたことを特徴とする、循環再生の方法。
【請求項２】
請求項１記載の循環再生の方法において、（Ａ）のステップが更に、
（Ａ１）設定時間長さの電子ファイルを再生するステップ、
を具えたことを特徴とする、循環再生の方法。
【請求項３】
請求項２記載の循環再生の方法において、設定時間長さが５秒とされたことを特徴とする、循環再生の方法。
【請求項４】
請求項２記載の循環再生の方法において、（Ｂ）のステップが更に、
（Ｂ１）設定時間長さの電子ファイルを再生するステップ、を具えたことを特徴とする、循環再生の方法。
【請求項５】
請求項４記載の循環再生の方法において、設定時間長さが５秒とされたことを特徴とする、循環再生の方法。
【請求項６】
請求項１記載の循環再生の方法において、携帯式電子装置がＭＰ３プレイヤーとされたことを特徴とする、循環再生の方法。
【請求項７】
請求項１記載の循環再生の方法において、携帯式電子装置がＰＤＡとされたことを特徴とする、循環再生の方法。
【請求項８】
請求項１記載の循環再生の方法において、携帯式電子装置が言語学習機とされたことを特徴とする、循環再生の方法。
【発明の詳細な説明】
【技術分野】
【０００１】
本発明は一種の循環再生の方法に係り、特に、携帯式電子装置に適用される循環再生の方法に関する。
【背景技術】
【０００２】
デジタル時代の来臨に伴い、オーディオビデオ製品の発展は、昔のＦＭラジオ、カセットテープ式ステレオ装置から現在のＶＣＤ、ＤＶＤ、ＭＰ３、及びＰＤＡ等多様な形式の携帯式プレイヤーへと進歩し、且つ外形が時代に対応し、携帯性のほか、多重の機能、例えば再生機能、録音或いは録画機能を具備するようになった。再生機能にも重複循環再生、単曲再生等がある。
【０００３】
周知の携帯型プレイヤーのほとんどはボタンにより循環再生の開始時間と終了時間を設定するが、このような方式は完全に正確には使用者が循環再生したい時間点を設定できず、且つ循環再生の時間点設定の後には視聴機能を提供できず、使用者は正確な設定の循環再生時間点を確認できず、ゆえにその実用性を増強するためには改善の必要がある。
【発明の開示】
【発明が解決しようとする課題】
【０００４】
本発明は循環再生の方法を提供し、それは携帯式電子装置に応用され、この電子装置は、ＭＰ３プレイヤー、ＰＤＡ、或いは言語学習機とされる。
【０００５】
このほか、本発明の循環再生の方法は、以下のステップを具えている。（Ａ）循環再生の開始時間を入力するステップ、（Ｂ）循環再生の終了時間を入力するステップ。そのうち、（Ａ）のステップと（Ｂ）のステップは更に（Ａ１）と（Ｂ１）のステップを具え、設定時間長さの電子ファイルを再生し、この設定時間長さを５秒とするステップ、及び、（Ｃ）（Ａ）のステップで入力した開始時間を起点として電子ファイルを再生し、並びに（Ｂ）のステップで入力した終了時間を終点としてこの電子ファイルの再生を停止するステップ、を具えている。
【０００６】
このほか、本発明の循環再生の方法は電子ファイルの再生／一次停止の時、循環再生機能を選択するために、それぞれ循環再生の開始時間及び終了時間を入力し、続いて前述の入力した開始点と終了点の間の電子ファイルを循環再生する。
【０００７】
これにより、上述の方法により、正確に循環再生の開始時間と終了時間を入力でき、且つ設定時間長さの電子ファイルの再生を利用して正確な循環再生の開始時間点と終了時間点が入力されたかを確認でき、使用者の携帯型プレイヤーに対する実用機能の要求を満足させることができる。
【課題を解決するための手段】
【０００８】
請求項１の発明は、携帯式電子装置に応用される循環再生の方法であり、
（Ａ）循環再生の開始時間を入力するステップ、
（Ｂ）循環再生の終了時間を入力するステップ、
（Ｃ）該開始時間を起点として電子ファイルを再生し並びに該終了時間を終点としてこの電子ファイルの再生を停止するステップ、
を具えたことを特徴とする、循環再生の方法としている。
請求項２の発明は、請求項１記載の循環再生の方法において、（Ａ）のステップが更に、
（Ａ１）設定時間長さの電子ファイルを再生するステップ、
を具えたことを特徴とする、循環再生の方法としている。
請求項３の発明は、請求項２記載の循環再生の方法において、設定時間長さが５秒とされたことを特徴とする、循環再生の方法としている。
請求項４の発明は、請求項２記載の循環再生の方法において、（Ｂ）のステップが更に、
（Ｂ１）設定時間長さの電子ファイルを再生するステップ、を具えたことを特徴とする、循環再生の方法としている。
請求項５の発明は、請求項４記載の循環再生の方法において、設定時間長さが５秒とされたことを特徴とする、循環再生の方法としている。
請求項６の発明は、請求項１記載の循環再生の方法において、携帯式電子装置がＭＰ３プレイヤーとされたことを特徴とする、循環再生の方法としている。
請求項７の発明は、請求項１記載の循環再生の方法において、携帯式電子装置がＰＤＡとされたことを特徴とする、循環再生の方法としている。
請求項８の発明は、請求項１記載の循環再生の方法において、携帯式電子装置が言語学習機とされたことを特徴とする、循環再生の方法としている。
【発明の効果】
【０００９】
本発明は携帯式電子装置に応用される循環再生の方法を提供し、それは以下のステップを具えている。（Ａ）循環再生の開始時間を入力するステップ、（Ｂ）循環再生の終了時間を入力するステップ、（Ｃ）入力した開始時間を起点として電子ファイルを再生し並びに入力した終了時間を終点としてこの電子ファイルの再生を停止する。これにより、正確な入力循環再生の時間点を達成できる。
【発明を実施するための最良の形態】
【００１０】
図１は本発明の循環再生のフローチャート、図２は本発明の実施例の表示図である。ＰＤＡのスクリーンにはまず電子ファイル再生状態が表示され、例えばスクリーンの右下方に電子ファイルの総時間長さが表示される（ステップＳ１１）。本実施例では、この電子ファイルの総時間長さは１時間５分１２秒である。続いて、循環再生機能を選択する（ステップＳ１２）。もしＰＤＡがちょうど電子ファイルを再生中であれば、自動的にこの電子ファイルの再生を一次停止する。その後、循環再生の開始時間を入力する（ステップＳ１３）。図２に示されるように、それは例えば３５分２６秒とされる。
【００１１】
３５分２６秒を入力した後、この設定時間長さの電子ファイルを再生して（ステップＳ１４）、正確な開始時間点の入力を確認でき、図３に示されるように、この再生設定時間長さは５秒に設定される。この設定時間の再生の結果が使用者が望む循環再生の開始時間点でなければステップＳ１３に戻る。反対にこの設定時間再生の結果が使用者が循環再生したい開始時間点であれば、循環再生の終了時間を入力し（ステップＳ１５）、これは図４のとおりであり、それは４８分２７秒である。
【００１２】
同様に４８分２７秒を入力した後、この設定時間長さの電子ファイルを再生（ステップＳ１６）して正確な終了時間点が入力されたことを確認でき、図５に示されるように、この再生設定時間長さもまた５秒に設定される。この設定時間再生の結果が使用者が循環再生させたい終了時間点でなければステップＳ１５に戻る。反対に、この設定時間再生の結果が使用者が循環再生させたい終了時間点であれば、前述のように入力された開始点と終了点の間の電子ファイルを循環再生する（ステップＳ１７）。図６に示されるようにそれは３５分２６秒から４８分２７秒の時間点の間の電子ファイルである。
【００１３】
これにより、上述の方法により、正確に入力された循環再生の開始時間と終了時間を提供でき、更に設定時間長さの電子ファイルにより使用者に再度入力した循環再生の開始時間点と終了時間点が正確であるかを確認させて、使用者のＰＤＡに対する実用機能の要求を満足させることができる。
【図面の簡単な説明】
【００１４】
【図１】本発明の循環再生のフローチャートである。
【図２】本発明の実施例の表示図である。
【図３】本発明の実施例の表示図である。
【図４】本発明の実施例の表示図である。
【図５】本発明の実施例の表示図である。
【図６】本発明の実施例の表示図である。
【符号の説明】
【００１５】
Ｓ１１〜Ｓ１７  ステップ
【図１】
2006190429.tif 000003
【図２】
2006190429.tif 000004
【図３】
2006190429.tif 000005
【図４】
2006190429.tif 000006
【図５】
2006190429.tif 000007
【図６】
2006190429.tif 000008